(57)【要約】【課題】  車内整理用の柔軟な箱であり、収納物が衝撃等で滑り落ちるのを阻止し、仕切りになるストッパーを有する安全ＢＯＸを提供する。【解決手段】  前面部と左側面部と右側面部の三面部の下端が、前記前面部を平面上に右側に向けて置いた時にコ状を呈し、続けて前記三面部を成形固定する長方形の底面部を設け、前記前面部以上の高さを有する後面部を左側に傾けて設けた、全体的に上側へ向けて広がる箱状立体の外周部が有り、前記外周部の高さ以下で前記底面部辺りまでのシート材で成る内周部を、前記外周部の内側に添って立体方向のライン状に前記外周部に固定又は着脱可能に接合することを特徴とする。【選択図】図１
2020070002.tif 000002
【特許請求の範囲】
【請求項１】
前面部と左側面部と右側面部の三面部の下端が、前記前面部を平面上に右側に向けて置いた時にコ状を呈し、続けて前記三面部を成形固定する長方形の底面部を設け、前記前面部以上の高さを有する後面部を左側に傾けて設けた、全体的に上側へ向けて広がる箱状立体の外周部が有り、前記外周部の高さ以下で前記底面部辺りまでのシート材で成る内周部を、前記外周部の内側に添って立体方向のライン状に前記外周部に固定又は着脱可能に接合することを特徴とする、安全ＢＯＸ。
【請求項２】
外周部の前面部は自立できる張りを有し外側へ傾き、後面部は前記前面部と同じ程度かそれより小さく側面部より大きく外側へ傾き、前記側面部の上端位置を前面部から後面部に向けて高くし、前記後面部の前記側面部上端の後部位置の高さを越えた高さ分を背面部と称す時、前記背面部位置に他具へのストッパー機能と長さ調節を可能にする形状で設けるか補助器具を備え、前記外周部の底面部周囲の任意の位置から立体方向のライン状に内周部を固定又は着脱可能に接合し、接合間を外周部と類似した長さで設けることを特徴とする、請求項１記載の安全ＢＯＸ。
【請求項３】
中間が留め具によって着脱可能に繋がる場合を含めた、シート状で柔軟な概略形状が長方形又は台形の内周部の、離れ合った二最端部それぞれを、外周部での相対する二側面部に対し立体方向のライン状に接合し、前記ライン状の位置から前記外周部の前、後面部へのどちらかの方向へ、前記内周部は角部を内側に囲む状態で前記外周部に添って成ることを特徴とする、請求項１、２記載の安全ＢＯＸ。
【請求項４】
側面部用の上辺の傾斜した概略逆台形の同形の二枚のシートの上辺以外の三辺側の端部位置を、前面部、底面部、後面部用の長方形のシートの短辺方向の両端に合わせてくるみ、前記三辺側の端部と接合して上側へ向けて広がる箱状立体を形成し、二箇所の側面部の上辺の前後方向での同じ長さ位置に、底面部辺りまでの長さを有する、中間が留め具によって着脱可能に繋がる場合を含めた長方形か逆台形の幕体の左右二端部をそれぞれ立体方向のライン状で接合し、前記箱状立体の内側に添う前記幕体を、角部を内側に囲む状態で接合間の前記箱状立体箇所と類似した長さで設けることを特徴とする、安全ＢＯＸ。
【発明の詳細な説明】
【技術分野】
【０００１】  車内整理用の柔軟な箱であり、収納物が衝撃等で滑り落ちるのを阻止し、仕切りになるストッパーを有する安全ＢＯＸに関する。
【背景技術】
【０００２】  背もたれにバッグをくくりつけるためのベルトが、発明展で発表された。
【先行技術文献】
【特許文献】
【特許文献】実用新案登録第３０６５７５０
【０００３】
【発明の概要】
【発明が解決しようとする課題】
【０００４】  そのために次のような問題点があった。  ○落下防止のためにベルトで縛る場合、座席上からの片手では物を縛ることが出来なかった、又は背もたれとベルト間に片手で差し込むことはやりにくかった。  ・対象物が縛れる大きさや形状でなければ、固定は不可能だった。  ・縛ればバッグ本体の形状に、また、中の収納物の状態に影響があった。  ・縛るだけでは固定は不完全であり、片手での取り出しは不可能だった。  ○実用新案登録第３０６５７５０の場合は、通常バッグとして使用している物を、斜めの背もたれの裏側に吊り下げている。  ・一つの席の背もたれ部と座席上との交差箇所付近に、密着状態で設置出来ず、上向き    の開口箇所がなく、片手での物の出し入れはやりにくかった。  ・蓋を開ければ、助手席への固定が出来ず、仮に出来たとしても四方に囲まれていない    状態になって、置いた物が滑り落ちることを阻止することはできなかった。  ・落下するのが分かっているため、最初から荷物を足元に置くしかなかった。
【発明を解決するための手段】
【０００５】  前面部と左側面部と右側面部の三面部の下端が、前記前面部を平面上に右側に向けて置いた時にコ状を呈し、続けて前記三面部を成形固定する長方形の底面部を設け、前記前面部以上の高さを有する後面部を左側に傾けて設けた、全体的に上側へ向けて広がる箱状立体の外周部が有り、前記外周部の高さ以下で前記底面部辺りまでのシート材で成る内周部を、前記外周部の内側に添って立体方向のライン状に前記外周部に固定又は着脱可能に接合することを特徴とする。
【発明の効果】
【０００６】  バッグ、買い物袋、財布、携帯、書類、投函予定封書類等が、本願がない時とあまり変わらない、座席上に置く感覚で広い開口部から挿入出来、滑り落ちなくなった。  挿入物が箱状立体の壁面より高く突き出す大きさでも、楽に挿入出来るようになった。  座席全体の広さを活用しながら、挿入物の大きさにかかわらず、仕切られて積載固定できるようになった。  上側が広がり、しかも片側が固定されている箱状立体なので、斜めに大きく広がり入れ易くなった。また箱状立体の空間箇所が広ければよいというものではないので、挿入物の大きさに合わせた、適度な広さが選択できるようになった。  固定出来る柔らかく入れ易くぶつかっても痛くないおもちゃ箱が出来た。
【図面の簡単な説明】
【０００７】
【図１】平面図である。
【図２】斜視図である。
【図３】内周部の設置状態を示す斜視図である。
【図４】内周部の設置状態を示す斜視図と端面図である。
【図５】斜視図と端面図である。
【発明を実施するための形態】
【０００８】  以下▲１▼▲２▼▲３▼の機能を活用する。  ▲１▼面と面が交差する時、更に二側面部を左右に設ければ、それらの間に入り口が広        く奥側が狭い空間が生じる。  ▲２▼二本の線を同時に引っ張る時、長い方は弛んで短い方を軸として反対側に移動出        来る。外周部の相対する二側面部上辺間での垂直線ＡＢを軸にすれば、Ａ点、Ｂ        点より前面部又は後面部を含めた上辺ラインは垂直線ＡＢより長いので、垂直線        ＡＢを越えて移動出来る。面の場合では、本願でのＡ点、Ｂ点は、外周部と内周        部の立体方向の接合ライン上にあるが、そのライン位置以外では内周部の面は下        端を外周部にも底面部にも接合していないので、垂直線ＡＢを軸にして移動出来        、内周部が囲む二角部箇所は反対側位置に変わる。  ▲３▼留め具によってフリーサイズとなる。
【０００９】  平面図の上側を後面部とする。平面状態を端面図で表し斜線を省く。帯体、シート、片は大きさの異なる長方形か逆台形である。その大きさにより外周部に対して一周分又は一部分に添うことになる。  使用材質の条件は、前面部（２）は上側へ広くなる開口状態が保持できる自立可能な、または補助材で自立可能にでき、後面部（４）は背もたれ（２９）に対して反発の少ないものである。また、衝撃が加えられた場合、全体的に変形し易い材質が好ましいが、特に側面部（１）は凹み易く人体に傷がつきにくい抵抗の少ない材質とする。外周部の側面部側は直角の立体方向を示す。前記前、後面部によって上側へ向けて広がる箱状立体となる。  内周部が添うとは、外周部との間に空間が少ない状態で類似の長さを有する意味である。  内周部（１１）や留め具（２１）を設ける目的は、必要に応じて仕切りとして空間を小分けして積載挿入物（１９）の大きさに対応するためである。内周部には、輪形と分離形と交差形がある。背面部は他の面部より高く設ける。  外周部、内周部の接合箇所として、底面部周囲からの直角方向か前、後面部の傾きに平行方向まで等を縦向きとし、その範囲内の任意の位置で接合箇所の上端位置に支点（２４）を決める。接合箇所の内周部の下端（１４）は底面部（６）近く辺りに有する。
【００１０】  図１〜図４を用いて、内周部（１１）を一つの輪状の帯体状で説明する。  図１は分解状態の平面端面図の一例で、ａでは側面部（１）の二箇所と前面部（２）が現れ、コ状を示す。ｂでは外側へ傾いた前面部の下端（３）を示し、ｃではｂに加え、後面部（４）を外側へ傾いた後面部と後面部の下端（５）と底面部（６）を示す。また後面部の上側に背面部（７）が続くことを示す。  図２は斜視図で、ａでは外周部（８）を示し、椅子への固定用として背面部をくり抜いて開口箇所（１０）を設け、側面部の上端を後部に向けて次第に高くして繋ぎ箇所（９）を設けている。ｂでは外周部に帯体状の内周部を一周分添わせている。ｃは下半分を透明図にして内周部の下端（１４）の形状を示し、ギャザーやフリル状にするかシャーリング状で狭い下端周囲の長さに合わせる。内周部の内側の上端と下端位置までの空間（２５）を示す。前面部の内、外周部上辺のどちらかに高さを低くした凹み（１３）等を設けて内周部を外周部より離し易い形状にしても良い。背面部にキャップ（１２）を設けた。
【００１１】  図３で使い方を説明する。外周部（８）への内周部（１１）の接合箇所を示した斜視図で、底面部（６）周囲位置より角部（１８）や辺部での上方向へ固定又は着脱可能に接合する。背面部（７）には前述の開口箇所（１０）の代わりにベルトや紐（１７）を設けた場合である。  ａは後面部（４）の中央ライン上（１６）と前面部（２）の内周部の両端の角部を接合箇所（１５）とした場合の透明図である。ｂはａの場合の内周部の後面側の二角部が移動可能であることを示す。ｃは内周部が移動しない場合、ｄは内周部の片側が移動した場合の使用状態を示す。外周部の角部に接合していない内周部が内側に引き込まれた形状で別の空間が生じ、その空間に合う大きさの積載挿入物（１９）を挿入する。背面部に繋がるベルトや紐は車の座席の背もたれやヘッド（２７→図５ｄ）にかけて固定する。図２ｃのキャップ（１２）はヘッドに被せて使用する。当使い方は以下に準ずる。
【００１２】  図４は外周部に対する内周部の取り付け位置を示す斜視図と端面図で、前述以外の外周部と内周部の接合箇所（１５イ、ロ、ハ）や、内周部の移動する角部数を説明する。  ａは内周部（１１）を外周部（８）の四面部に接合した場合である。前面部（２）では内周部との接合が材質等で無理な場合、一部に穴（２０）を設けて紐を通して接合するような工夫をする。穴を取って部代用になるように手先が入る大きさにしても良い。穴の周囲をカバー用生地で覆いその生地を使って、前面部の内、外側で固定状態にする。その他、平板な形状で向きを変えると穴から外れる仕組みのストッパーを設けたり、糊材や縫合等で前面部の接合方法はいくつか考えられる。使用時、合計四か所の角部（１８）から内周部が移動可能である。  ｂは外周部の側面部（１）中間位置のみで内周部と立体方向で接合し、前面部側と後面部（４）側に三個の空間（２５）を作る場合である。もともと前、後面部を傾斜して設けているので、内周部の垂直方向に対し空間部が前後に生じる。側面部箇所で内周部は外周部に添う。接合箇所が側面部の二箇所のみなので、使用時、前、後箇所の二角部を囲む内周部のどちらかが移動可能である。  ｃは内周部との接合箇所を、外周部の両側面部の底辺（２６）の二箇所より、上方へ垂直方向で設けた場合のイを示す。使用時、後面側の二角部が移動可能である。  ｄはｃの使用状態の平面端面図で、接合箇所の上端を支点（２４）として、内周部が外周部と対象の位置へ移動する。その時の対称軸（２３）位置を示した。
【００１３】  図５で内周部を片（２８）とした。ａ、ｂ、ｃの斜視図と端面図で分離型を、ｄの内周部の端部が外周部（８）の任意の位置と繋がる斜視図で、交差形を説明する。  ａでは、内周部を小さく分離し二片にして、分離箇所（２２）は互いに留め具（２１）によって繋がり合い一枚状にし、それぞれの左、右最端を外周部に固定する。二片の内周部は外周部の高さに近く、内周部の後面部箇所のみ側面部の後部上端位置と同位か後面部の中央辺りに向けてなだらかな弧を描く。内周部を相対する箇所にも設けても良い。後面部側で分離した内周部が留め具によって繋がり、内周部を引き出した時、分離しない場合の二倍の空間以上の空間が生じフリーサイズ箇所となる。もとより側面部が柔軟なので荷物の形状を包むような触れ方となり空間の広さに関して融通が効く。最端接合ライン（３０）を下方に向け斜め奥側となる直角方向で設ければ、前述の図２ｃのギャザー等は不要となる。又は内周部を逆台形にし、最両端部を垂直方向で接合して、緩みを取り除く方法もある。接合箇所（１５）のロは後面部の傾きと平行に、ハは前面部の傾きと平行にした例で、接合ラインの本数や接合位置は選択の範囲である。デザイン的な意味合いや二本の接合で強化する機能もある。使用時、二角部か四角部が移動可能である。  ｂは外周部と接合する内周部端部を図の上、下の二箇所に離れて有する場合の使用平面端面図で、下は前面部側で使用前の状態である。類似図の４ｄとは異なり、内周部は外周部の側面部側に添っていない。  ｃは内周部との接合箇所を外周部（８）の両側面部（１）の底辺（２６）の二箇所より、接合箇所のロを設けた場合である。使用時、二角部か四角部が移動可能である。  使い方は、既に有る空間（２５）では固定しにくいビジネスバッグを後部空間とに区分けて挿入したい時、留め具を外し空間を広げて挿入し、留め具の接合位置を決めて固定する。  ｄは、ベルトや紐（１７）をヘッド（２７）に固定した使用斜視図で、内周部が分枝した場合である。底辺部（６）周囲位置から上方向へ三箇所以上で固定又は着脱可能に接合した。常に区分けされ固定している場合はそのくくり内の大きさに合うものを挿入することになる。内周部の全てを取り除いて使用することも出来る。側面部側の一面部を側面部より取り外せば、使用時、一角箇所が移動可能となる。
【００１４】  内周部（１１）の性質については外周部（８）を仕切るためであるとともに、外周部に添い外周部を強化する補助機能も有する。必ずしも、全体的に柔軟な性質の材質を選ぶとは限らず、本願の使用場所によっては硬質であってもかまわない。移動や反対側へ折り曲げる等を行うためには、その箇所は柔軟でなければならない。  本願は車内では開口状態を保ち易くすると共に、防犯上、積載挿入物（１９）が車の外部からよく見えるように開口させた形状である。また網目類や透明な生地が好ましいが、室内使用ならばそれらにこだわる必要はない。外周部の後面部（４）の外部に取って部とするベルトを設けても良く、その場合は、前面部（２）の穴（２０）と共に積載挿入物を入れたまま持ち上げる等の、置き場所を変えるような時に使用する。  玩具の整理箱としても、背もたれ（２９）の上部や他具類にベルトや紐（１７）等で安全に固定することが出来、落下防止用と共に防犯防止用に活用可能で、レストランの席上にも設置出来る。車内に於いては後部座席にもセット出来、車内の柔軟な整理用箱として使用可能である。  尚、外周部と箱状立体、内周部と幕体は同義語とする。
【符号の説明】
【００１５】  １  側面部                    ２  前面部                  ３  前面部の下端  ４  後面部                    ５  後面部の下端            ６  底面部  ７  背面部                    ８  外周部                  ９  繋ぎ箇所１０  開口箇所                １１  内周部                １２  キャップ１３  凹み                    １４  内周部の下端          １５  接合箇所１６  中央ライン上            １７  ベルトや紐            １８  角部１９  積載挿入物              ２０  穴                    ２１  留め具２２  分離箇所                ２３  対象軸                ２４  支点２５  空間                    ２６  底辺                  ２７  ヘッド２８  片                      ２９  背もたれ              ３０  最端接合ライン
【図１】
2020070002.tif 000003
【図２】
2020070002.tif 000004
【図３】
2020070002.tif 000005
【図４】
2020070002.tif 000006
【図５】
2020070002.tif 000007